(57)【要約】無線通信システム（３００）においてリソース管理を最適化する方法およびシステムが開示される。この方法およびシステムを用いると、隣接セルおよびサービスセル（３０４）のリソースを再割り当てして、サービスセルにおけるフラグメンテーションを低減させることができる。無線通信システム（３００）のリソースは、好ましくはフラグメンテーションを最小にするように管理される。また、現在のリソース割り振りに基づいてフラグメンテーションを低減することができない場合は、リソースを再割り当てしてフラグメンテーションを低減できるようにすることができる。
2006524951.tif 000002
【特許請求の範囲】
【請求項１】
少なくとも１つの無線送／受信ユニット（ＷＴＲＵ）と、
少なくとも１つの基地局と、
少なくとも１つの無線ネットワーク制御装置（ＲＮＣ）と
を備える無線通信システムであって、
前記ＲＮＣは、前記ＷＴＲＵのサービスセルのリソースを評価して前記ＷＴＲＵに割り当てられたタイムスロットの数を低減できるかどうかを判定するように構成され、さらに前記判定が肯定の場合はタイムスロットの数を低減するように構成され、
前記ＲＮＣはさらに、隣接セルのリソースを再割り当てすることによって前記隣接セルが前記サービスセルに与える干渉の量を低減し、前記隣接セルのリソースが再割り当てされかつそれまでにタイムスロットの数が低減されていなかった場合は、前記サービスセルにおけるタイムスロットの低減を再評価するように構成され、
前記ＲＮＣはさらに、前記サービスセルのリソースを再割り当てすることによって前記サービスセルにおける干渉の量を低減し、前記サービスセルのリソースが再割り当てされかつそれまでにタイムスロットの数が低減されていなかった場合は、前記サービスセルにおけるタイムスロットの低減を再評価するように構成されることを特徴とする無線通信システム。
【請求項２】
前記ＲＮＣは、前記隣接セルのリソースを評価した後で、所定の時間だけ待ち、状態が変化したかどうかを検査し、前記ＭＴＲＵのサービスセルで前記ＭＴＲＵに割り当てられたタイムスロットを低減できるかどうかを再度検査することを特徴とする請求項１に記載のシステム。
【請求項３】
前記少なくとも１つのＲＮＣはローカルエリアネットワークであり、前記少なくとも１つの基地局はアクセスポイントであることを特徴とする請求項１に記載のシステム。
【請求項４】
少なくとも１つの無線ネットワーク制御装置（ＲＮＣ）を備え、少なくとも１つの無線送／受信ユニット（ＷＴＲＵ）がサービスセル内で動作し、前記サービスセルが隣接セルからの干渉を受ける無線通信システムであって、
前記ＲＮＣは、前記ＷＴＲＵのサービスセルのリソースを評価して前記ＷＴＲＵに割り当てられたタイムスロットの数を低減できるかどうかを判定するように構成され、さらに前記判定が肯定の場合はタイムスロットの数を低減するように構成され、
前記ＲＮＣはさらに、隣接セルのリソースを再割り当てすることによって前記隣接セルが前記サービスセルに与える干渉の量を低減し、前記隣接セルのリソースが再割り当てされかつそれまでにタイムスロットの数が低減されていなかった場合は、前記サービスセルにおけるタイムスロットの低減を再評価するように構成され、
前記ＲＮＣはさらに、前記サービスセルのリソースを再割り当てすることによって前記サービスセルにおける干渉の量を低減し、前記サービスセルのリソースが再割り当てされかつそれまでにタイムスロットの数が低減されていなかった場合は、前記サービスセルにおけるタイムスロットの低減を再評価するように構成されることを特徴とする無線通信システム。
【請求項５】
前記ＲＮＣは、前記隣接セルのリソースを評価した後で、所定の時間だけ待ち、状態が変化したかどうかを検査し、前記ＭＴＲＵのサービスセルで前記ＭＴＲＵに割り当てられたタイムスロットを低減できるかどうかを再度検査することを特徴とする請求項４に記載のシステム。
【請求項６】
前記少なくとも１つのＲＮＣは、ローカルエリアネットワークであることを特徴とする請求項４に記載のシステム。
【請求項７】
無線通信システムのリソース管理を最適化する方法であって、
無線送／受信ユニット（ＷＴＲＵ）のサービスセルのリソースについての第１の評価を実施するステップと、
前記第１の評価に基づき、前記ＷＴＲＵに割り当てられたタイムスロットの数を低減できるかどうかの第１の判定を実施するステップと、
前記第１の判定が肯定の場合はタイムスロットの数を低減するステップと、
前記第１の判定が否定の場合は少なくとも１つの隣接セルにおけるリソース割り振りについての第２の評価を実施するステップと、
前記第２の評価に基づき、前記少なくとも１つの隣接セルのリソースを再割り当てして前記サービスセルにおける干渉を低減できるかどうかの第２の判定を実施するステップと、
前記第２の判定が肯定の場合は、前記少なくとも１つの隣接セルのリソースを再割り当てし、前記第１の評価および第１の判定を繰り返すステップと、
前記第２の判定が否定の場合は、前記サービスセルのリソース割り振りについての第３の評価を実施するステップと、
前記第３の評価に基づいて、前記サービスセルのリソースを再割り当てして前記サービスセルにおける干渉を低減することができるかどうかの第３の判定を実施するステップと、
前記第３の判定が肯定の場合は、前記サービスセルのリソースを再割り当てし、前記第１の評価および第１の判定を繰り返すステップと
を含むことを特徴とする方法。
【請求項８】
前記第３の評価を実施する前に所定の遅延を確保して前記サービスセル内の状態が変化する機会を提供し、前記第３の評価に戻る前に、前記第１の評価および第１の判定を所定の回数実施することを特徴とする請求項７に記載の方法。
【請求項９】
いずれかのリソースが再割り当てされた後で、リソースの割り振りが更新されて、前記サービスセルにおける干渉を低減することを特徴とする請求項７に記載の方法。
【請求項１０】
前記方法は、少なくとも１つのアクセスポイントとローカルエリアネットワークを備えた無線通信システムに実装されることを特徴とする請求項７に記載の方法。
【請求項１１】
前記方法は、少なくとも１つの基地局と少なくとも１つの無線ネットワーク制御装置を備えた無線通信システムに実装されることを特徴とする請求項７に記載の方法。
【請求項１２】
無線通信システムのリソース管理を最適化する方法であって、
タイムスロットの低減により、いずれのタイムスロットにおいても干渉の所定の最大レベルを超える結果とならない場合は、無線送／受信ユニット（ＷＴＲＵ）に割り当てられたタイムスロットの数を低減するステップと、
タイムスロットの低減により、いずれかのタイムスロットにおいて前記所定の最大レベルを超える結果となる場合は、隣接セルのリソースを再割り当てしてサービスセルにおける干渉を低減し、前記ＷＴＲＵに割り当てられたタイムスロットの数を低減するステップを繰り返すステップと、
前記隣接セルのリソースを再割り当てしたにもかかわらず、タイムスロットの低減により、前記所定の最大レベルを超える結果となる場合は、前記サービスセルのリソースを再割り当てして前記サービスセルにおける干渉を低減し、前記ＷＴＲＵに割り当てられたタイムスロットの数を低減するステップを再度繰り返すステップと
を含むことを特徴とする方法。
【請求項１３】
前記サービスセルのリソースを再割り当てする前に、所定の遅延を確保して前記サービスセルの状態が変化する機会を提供し、前記サービスセルのリソースの再割り当てを試みる前に、前記ＷＴＲＵに割り当てられたタイムスロットの数を低減するステップを所定の回数繰り返すことを特徴とする請求項１２に記載の方法。
【請求項１４】
いずれかのリソースが再割り当てされた後で、リソースの割り振りが更新されて、前記サービスセルにおける干渉を低減することを特徴とする請求項１２に記載の方法。
【請求項１５】
前記方法は、少なくとも１つのアクセスポイントおよびローカルエリアネットワークを備えた無線通信システムに実装されることを特徴とする請求項１２に記載の方法。
【請求項１６】
前記方法は、少なくとも１つの基地局と少なくとも１つの無線ネットワーク制御装置を備えた無線通信システムに実装されることを特徴とする請求項１２に記載の方法。
【発明の詳細な説明】
【技術分野】
【０００１】
本発明は無線通信システムに関する。より詳細には、本発明は無線通信システムにおいて干渉および電力消費を低減することに関する。
【背景技術】
【０００２】
無線通信システムに関しては当技術分野では周知である。無線システムのグローバルな接続性を実現するために、いくつかの標準が作成され実施されている。広く使用されている現在の標準の１つは移動通信グローバルシステム（ＧＳＭ）と呼ばれるものである。この標準は、いわゆる第２世代移動無線通信システム標準（２Ｇ）と見なされており、その後に改訂版（２．５Ｇ）が続く。ＧＰＲＳおよびＥＤＧＥは２．５Ｇ技術の例であり、（２Ｇ）のＧＭＳネットワークの上で比較的高速のデータサービスを提供する。これらの各標準は、追加の機能および拡張によって先の標準を改善しようとしたものである。１９９８年１月、欧州電気通信標準化機構の特別移動通信グループ（ＥＴＳＩ−ＳＭＧ）は、汎用移動通信システム（ＵＭＴＳ）と呼ばれる第３世代無線通信システムの無線アクセス方式に合意した。ＵＭＴＳ標準をさらに進めるために、１９９８年１２月に第３世代パートナーシッププロジェクト（３ＧＰＰ）が結成された。３ＧＰＰは共通の第３世代移動無線通信システム標準に関する作業を続けている。
【０００３】
現在の３ＧＰＰ仕様に従う代表的なＵＭＴＳシステムアーキテクチャが図１に示されている。ＵＭＴＳネットワークアーキテクチャは、Ｉｕと呼ばれるインタフェースを介してＵＭＴＳ地上系無線アクセスネットワーク（ＵＴＲＡＮ）と相互接続されたコアネットワーク（ＣＮ）を含む。Ｉｕは、公開されている３ＧＰＰ仕様文書に詳細に定義されている。ＵＴＲＡＮは、Ｕｕと呼ばれる無線インタフェースを経由し、３ＧＰＰではユーザ装置（ＵＥ）と呼ばれる無線送受信ユニット（ＷＴＲＵ）を介してユーザに無線通信サービスを提供するように構成される。ＵＴＲＡＮは、１つまたは複数の無線ネットワーク制御装置（ＲＮＣ）と３ＧＰＰではノードＢと呼ばれる基地局を備える。基地局は、ＵＥとの無線通信のための地理的なサービスエリアをまとめて提供する。各ＲＮＣには、３ＧＰＰではＩｕｂと呼ばれるインタフェースを介して１つまたは複数のノードＢが接続されている。図１の例では２つのグループが示されているが、ＵＴＲＡＮは、異なるＲＮＣに接続されたいくつかのノードＢのグループを有することができる。ＵＴＲＡＮに複数のＲＮＣが提供されている場合には、ＲＮＣ間の通信は、Ｉｕｒインタフェースを介して実施される。
【０００４】
ネットワークコンポーネント外部への通信は、ユーザレベルでは、ノードＢによってＵｕインタフェースを介して実施され、ネットワークレベルでは、ＣＮによって外部システムへの様々なＣＮ接続を介して実施される。
【０００５】
一般に、ノードＢやアクセスポイントなどの基地局の主要な機能は、基地局のネットワークとＷＴＲＵの間の無線接続を提供することである。一般に、基地局は共通チャネル信号を送出して、非接続のＷＴＲＵが基地局のタイミングと同期をとることを可能にする。３ＧＰＰでは、ノードＢがＵＥとの物理的な無線接続を実施する。ノードＢは、Ｉｕｂインタフェースを介してＲＮＣから信号を受信する。ＲＮＣは、ノードＢによってＵｕインタフェースを介して送信される信号を制御する。
【０００６】
ＣＮは、情報を正しい宛先に経路制御する役割を果たす。例えばＣＮは、ＵＭＴＳがノードＢの１つを介して受信したＵＥから公衆交換電話網（ＰＳＴＮ）への音声トラフィック、またはインターネットに宛てられたパケットデータを経路制御することができる。３ＧＰＰでは、ＣＮは６つの主要なコンポーネントを備える。すなわち、１）サービス例汎用パケット無線サービス（ＧＰＲＳ）サポートノード、２）ゲートウェイＧＰＲＳサポートノード、３）ボーダゲートウェイ、４）ビジターロケーションレジスタ、５）移動通信交換局、および６）ゲートウェイ移動通信交換局である。サービス例ＧＰＲＳサポートノードは、インターネットなどのパケット交換ドメインへのアクセスを提供する。ゲートウェイＧＰＲＳサポートノードは他のネットワークへの接続のためのゲートウェイノードである。他の通信事業者のネットワークまたはインターネットへ向かうすべてのデータトラフィックは、ゲートウェイＧＰＲＳサポートノードを通過する。ボーダゲートウェイは、ネットワーク外部の侵入者によるネットワーク領域内部の加入者への攻撃を阻止するファイアウォールの機能を果たす。ビジターロケーションレジスタは、サービスを提供するために必要な契約者データの、現在のサービスネットワークにおける「コピー」である。この情報は、最初に移動局加入者を管理するデータベースによってもたらされる。移動通信交換局は、ＵＭＴＳ端末からネットワークまでの「回線交換」接続を担当する。ゲートウェイ移動通信交換局は、加入者の現在の位置に基づいて、必要なルーティング機能を実行する。ゲートウェイ移動通信交換局はまた、加入者から外部ネットワークへの接続要求も受信し管理する。
【０００７】
一般に、ＲＮＣはＵＴＲＡＮの内部機能を制御する。ＲＮＣはまた、ノードＢとのＵｕインタフェース接続を介したローカルコンポーネントと、ＣＮと外部システムの間の接続を介した外部サービスコンポーネントとを含む通信の中継サービス、例えば、国内のＵＭＴＳ内の携帯電話からなされた国際電話なども提供する。
【０００８】
一般に、ＲＮＣは複数の基地局を監視し、ノードＢによってサービスが提供される無線サービスエリアの地理的エリア内の無線リソースを管理し、Ｕｕインタフェース用の物理無線リソースを制御する。３ＧＰＰにおいて、ＲＮＣのＩｕインタフェースはＣＮへの２種類の接続を提供する。一方はパケット交換ドメインであり、もう一方は回路交換ドメインである。ＲＮＣの他の重要な機能は、機密性と完全性の保護である。
【０００９】
第３世代パートナーシッププロジェクト（３ＧＰＰ）の時分割複信（ＴＤＤ）システムや周波数分割複信（ＦＤＤ）システムなどの通信システムにおいては、可変レートデータの、複数の共用および専用チャネルが組み合わされて送信される。この様なシステムの背景となる仕様データは公開されており発展を続けている。
【発明の開示】
【発明が解決しようとする課題】
【００１０】
ＴＤＤ技術を使用する無線通信システムにおいてユーザがタイムスロットに割り当てられるとき、タイムスロットの状態によってユーザを複数のタイムスロットに割り当てることが必要になることがよくある。すなわち、一般にユーザは、送信電力の量およびユーザのサービスセルで使用可能なリソースの量、ならびにそのサービスセルが隣接セルから受ける干渉の量およびその干渉が複数のタイムスロットにわたってどのように分布するかに応じて各タイムスロットに割り当てられる（すなわち、リソースが割り当てられる）。例えば、図２を参照すると、各タイムスロット（ＴＳ）における干渉のレベルは変化しており、総送信電力の量や使用可能なりソースの量も同様に変化している。無線通信システムにおけるリソース管理の２つの目標は、干渉を低減することおよびフラグメンテーションを減らすことである。しかし、現在知られているリソース管理技術は、リソースを管理する際に、隣接セルからの干渉を考慮していないか、またはそれに対処しようとしていない。
【００１１】
したがって、従来技術の制限なしにリソースが管理される方法およびシステムを提供することが望まれている。
【課題を解決するための手段】
【００１２】
本発明は、無線通信システムにおいてリソース管理を最適化する方法およびシステムに関する。この方法およびシステムを用いると、隣接セルおよびサービスセルのリソースを再割り当てして、サービスセルにおけるフラグメンテーションを低減させることができる。無線通信システムのリソースは、好ましくはフラグメンテーションを最小にするように管理される。また、現在のリソース割り振りに基づいてフラグメンテーションを低減することができない場合は、リソースを再割り当てしてフラグメンテーションを低減できるようにすることができる。
【発明を実施するための最良の形態】
【００１３】
以下では、無線送／受信ユニット（ＷＴＲＵ）には、これに限定されるものではないが、ユーザ装置、移動局、固定または移動加入者装置、ポケットベル、または無線環境で動作可能な他の任意の種類の装置が含まれるものとする。以下で、基地局と呼ばれるものには、これに限定されるものではないが、ノードＢ、サイトコントローラ、アクセスポイント、または無線環境で動作可能な他の任意の種類のインタフェース装置が含まれるものとする。
【００１４】
最初に図３を参照すると、本発明による無線通信システム３００が示されている。無線通信システム３００は、少なくとも１つの無線ネットワーク制御装置（ＲＮＣ）３０２、複数の基地局３０４１〜３０４ｎ、および少なくとも１つのＷＴＲＵ３０６を含む。本発明が、ＴＤＤ技術を使用する任意の種類の無線通信システムに実装できることに留意されたい。例えば、本発明が無線ローカルエリアネットワーク（ＷＬＡＮ）タイプのシステムに実装される場合は、基地局はもちろんアクセスポイントであり、ＲＮＣはローカルエリアネットワーク（ＬＡＮ）である。
【００１５】
基地局３０４ｎ（すなわち、サービスセル）と通信するＷＴＲＵ３０６は、隣接基地局３０４１、３０４２、および３０４３（すなわち、隣接するセル）から干渉を受ける。本明細書では、基地局という用語とセルという用語が交換可能に使用されることに留意されたい。本発明のＲＮＣ３０２は、フラグメンテーションをより少なくするようにリソースを管理する。さらに、現在のリソース割り振りに基づいてフラグメンテーションを減少させることができない場合は、隣接セルおよびサービスセルの現在のリソース割り振りを調整することもできる。
【００１６】
例えば、ＷＴＲＵ３０６が基地局３０４ｎと通信している場合に、ＲＮＣ３０２は割り振りが最適になるように定期的にリソースの割り振りを評価する。基地局３０４ｎの現在のリソースの割り振りを評価するときに、ＲＮＣ３０２は、ＷＴＲＵ３０６がセル３０４ｎで動作している間に、現在リスンする必要があるタイムスロットの数（すなわち、ＷＴＲＵ３０６のフラグメンテーションの度合い）を低減できるかどうかを最初に判断する。一般にＲＮＣ３０２はフラグメンテーションの度合いを低下させることができるかどうかを、いずれのタイムスロットにおける干渉も所定の最大干渉レベルを超えることなく、あるＷＴＲＵに割り振られたタイムスロットの数を低減できるほどに各タイムスロットにおける干渉の量が十分に低いかどうかを評価することによって判断する。セル３０４ｎで動作する間にＷＴＲＵ３０６がリスンしなければならないタイムスロットの数を低減することが可能な場合は、ＲＮＣ３０２は、隣接セル３０２１、３０４２、３０４３、およびサービスセル３０４ｎに関するそれ以上の調整は実施しない。タイムスロットの数を低減できない場合には、ＲＮＣ３０２は、基地局３０２１、３０４２、および３０４３における現在のリソース割り振りを評価して、現在のリソース割り振りを調整して、基地局３０２１、３０４２、３０４３からＷＴＲＵ３０６に与えられる干渉の量を低減することができるかどうかを判定する。
【００１７】
一般に、ＲＮＣ３０２は、ＲＮＣ３０２の制御下にあるセルの１つで動作する各ＷＴＲＵ３０６についての隣接セルを認識している。したがって、ＲＮＣ３０２は隣接セル内部のリソースの割り振りを調整することができる。例えば、ＷＴＲＵ３０６が高いレベルの干渉を受けていると想定する。ＲＮＣ３０２は、各タイムスロットごとに、すべての隣接セル３０２１、３０４２、３０４３に関する送信パワーを評価する。次いで、ＲＮＣ３０２は、所定の閾値を超える送信電力を有するタイムスロットの各ユーザを再割り当てすることによって、ＷＴＲＵ３０６がセル３０４ｎでの動作中に受ける干渉の量を低減することができる。ＷＴＲＵ３０６が受ける干渉の量を低減することによって、ＷＴＲＵ３０６に割り振るタイムスロットの数を低減することができる。
【００１８】
隣接セル３０４１、３０４２、３０４３のいずれにも所定の値を超える送信電力を有するタイムスロットが存在しないか、または隣接セルのいずれに対しても調整の余地が無い場合には、ＲＮＣ３０２はＷＴＲＵ３０６のサービスセル３０４ｎ内の干渉の分布を評価する。すなわち、ＲＮＣ３０２は、セル３０４ｎに関する各タイムスロットの干渉レベルを評価する。所定のレベルを超える干渉を有するタイムスロットが存在する場合は、ユーザをそれらのタイムスロットから移動させ、所定のレベルより低い干渉レベルを有するタイムスロットに配置する。本発明の他の実施形態では、所定の時間待った後でサービスセルの干渉を再割り振りすることによって、サービスセルのフラグメンテーションを低減できるようにシステム状態が変化したかどうか、あるいは隣接セル３０４１，３０４２、および３０４３のリソースを再割り当てすることによってサービスセル３０４ｎの干渉を低減できるようにシステム状態が変化したかどうかを確認する。
【００１９】
次に図４を参照すると、本発明の好ましい実施形態による、無線通信システムのリソースを管理する方法４００が示されている。説明を簡単にするために、方法４００は単一のユーザに関して記載されている。この方法はステップ４０２で始まり、ユーザのサービスセルについての現在のタイムスロット割り当てを評価して、（ステップ４０４で）そのユーザのサービスセル内でそのユーザをより少ないタイムスロットに再割り当てできるかどうかを判定する。
【００２０】
一般に、ユーザをより少ないタイムスロットに再割り当てできるかどうかの評価および判定は、そのユーザが現在割り当てられている各タイムスロットにおける干渉の量に基づいて実施される。例えば、ユーザが４つのタイムスロットに割り当てられていると想定する。また、各タイムスロットには約５ｄＢの干渉が存在し、ユーザ自体は、割り当てられた各タイムスロットに３ｄＢ寄与すると想定する。さらに、ユーザのサービスセルの各タイムスロットあたりの最大干渉レベルが１０ｄＢだと想定する。この場合は、最大干渉レベルを超えることなく、タイムスロットの数を低減することができる。すなわち、ユーザを３つのタイムスロットに割り当てることが可能であり、その場合、それら各タイムスロットの干渉は８ｄＢとなり、各タイムスロットあたりの最大干渉レベルを下回る。
【００２１】
ユーザをより少ないタイムスロットに割り当てることができる場合は、方法４００はステップ４０６に進む。ステップ４０６で、ユーザのサービスセルのリソースは、ユーザのトラフィック信号がより少ないタイムスロットで受信されるように再割り当てされる。もちろん、ユーザが再割り当てされた後で、それに応じて使用可能なリソースが更新される。これは、最適な状態である。なぜならば、干渉が満たされ、タイムスロットの数が低減され、それによってユーザ側での電力消費が抑えられるからである。したがって、ユーザをより少ないタイムスロットに割り当てることが可能な場合は、上記のようにステップ４０６でリソースが再割り当てされ、方法４００はステップ４０８で終了し、必要ならば再始動させることもできる。
【００２２】
ユーザをより少ないタイムスロットに割り当てることが不可能な場合は、方法４００はステップ４０４からステップ４１０に進む。一般に、タイムスロットの数を低減することが不可能な場合は、サービスセルの各タイムスロットにおける干渉レベルが高すぎることが原因であることに留意されたい。したがってこの様な状況では、一般的には、方法４００は先ず、いずれかの隣接セルで調整が可能かどうかを調べ、次いで、サービスセルそれ自体の中で調整が可能かどうかを調べることによって、ユーザのサービスセルの各タイムスロットにおける干渉を低減しようと試みる。
【００２３】
より詳細には、ステップ４１０で隣接セルを評価して、所定のレベルを超える送信電力を有するタイムスロットに割り当てられたユーザを別のタイムスロットに割り当てることができるかどうかを判定する（ステップ４１２）。これは当業者には良く知られたプロセスであるが、高いレベルで送信電力に寄与するユーザは、好ましくは最小量の干渉を有するタイムスロットに配置される。このアプローチは、どのタイムスロットにおける干渉も最大干渉レベルを超えないようにするものである。なぜならば、一般に最大干渉レベルを超えるようなタイムスロットは、隣接セルの送信電力によって影響を受けるセルに対し、最も大きな干渉を与えるタイムスロットだからである。ステップ４１０の一部として、隣接セルの送信電力によって影響されるセルの干渉を再計算／予測することが好ましいことに留意されたい。
【００２４】
隣接セルのユーザを異なるタイムスロット割り当てて、隣接セルの各タイムスロットの送信電力および他のセルが受ける対応する干渉を低減することができる場合は、方法４００はステップ４１２からステップ４１４に進む。ステップ４１４において、隣接セルのリソースが再割り当てされ、隣接セルの使用可能なリソースが更新される。好ましくは、方法４００はステップ４１４からステップ４０２に戻り、隣接セルでなされた調整に基づいて、ユーザのサービスセルでユーザに割り当てられるタイムスロットの数を低減することができるかどうかが判定される。
【００２５】
いずれの隣接セルにおいても調整を行うことが不可能な場合は、方法４００はステップ４１２からステップ４１８に進む。ステップ４１８で、ユーザのサービスセルのタイムスロットを再割り当てして、全体の干渉を低減できるかどうかが判定される。上述の、いくつかの隣接セルでなされる調整と同様に、ステップ４１８は、タイムスロットを再割り当てしてサービスセルにおける全体の干渉を低減し、それによってユーザに割り当てられるタイムスロットを低減することができるかどうかを判定するように実施される。したがって、ステップ４０２と４０４は、ユーザが割り当てられるタイムスロットの数を低減することに関係し、ステップ４１８と４２０は、サービスセル内の任意のユーザを、より少ない数のタイムスロットではなく、異なるタイムスロットに割り当てることが可能かどうかに関係していることに留意することが重要である。すなわち、ステップ４１８および４２０の解析結果は、ステップ４１０および４１２で実施された解析結果と同様に、最大の送信電力を有するユーザを最小の干渉を有するタイムスロットに配置することが好ましいことになる。
【００２６】
サービスセルのタイムスロットを再割り当てすることによって全体の干渉を低減できない場合は、方法４００はステップ４２０からステップ４２２に進み、そのステップで方法４００は終了する。また、必要に応じて再始動することもできる。タイムスロットを再割り当てして全体の干渉を低減することができる場合は、方法４００はステップ４２０からステップ４２４に進む。ステップ４２４において、サービスセルのリソースが再割り当てされ、使用可能なリソースが更新される。次に、方法４００はステップ４０２に戻って、サービスセルでなされた調整に基づいて、ユーザが割り当てられるタイムスロットの数を低減することができるかどうかが判定される。
【００２７】
本発明が、必要に応じて、任意の種類の時分割複信（ＴＤＤ）技術を使用する任意の種類の無線通信システムに実装できることに留意することは重要である。例として、本発明はＵＭＴＳ−ＴＤＤ、ＴＤＳＣＤＭＡ、あるいは他の任意の種類の無線通信システム、例えばＴＤＤ技術を使用するＷＬＡＮタイプのシステムなどに実装することができる。さらに、本発明を様々な実施形態に関連付けて説明してきたが、添付の特許請求の範囲に記載した本発明の範囲に含まれる他の諸変形形態については当業者には明白であろう。
【図面の簡単な説明】
【００２８】
【図１】代表的な無線通信システムの概略図である。
【図２】干渉、送信電力、および使用可能リソースに関して様々な状態を有する、複数のタイムスロットを示す図である。
【図３】本発明の好ましい実施形態による、リソースを管理するための無線通信システムを示す図である。
【図４】本発明の好ましい実施形態による、無線通信システムのリソースを管理する方法を示す図である。
【図１】
2006524951.tif 000003
【図２】
2006524951.tif 000004
【図３】
2006524951.tif 000005
【図４】
2006524951.tif 000006
【国際調査報告】
2006524951.tif 000007